(57)【要約】【課題】設置面積が小さくて済み、かつ、被熱交換流体の圧力を制限しない、すなわち高圧流体も不都合なく使用できる構造の熱交換器を提供すること。【解決手段】複数の細くて長い円管を隙間なく並べて帯状管列を形成し、該管列の両端はそれぞれマニホールドに接続したものを、一方のマニホールドを渦の中心近傍の始点とし、一定間隙を設けながら該管列を渦巻状に巻いて、円筒状の容器に納め、始点および終点に位置するマニホールドの外側にそれぞれ被熱交換流体の入口、出口となるノズルを設けてなり、かつ、前記円筒状の容器は熱交換媒体の入口、出口となるノズルを設けてなる多管式スパイラル熱交換器。渦巻状に巻いた管列の上下を、それが収められている円筒状の容器の内径とほぼ同じ径の円形板で挟んだ多管式スパイラル熱交換器。【選択図】　なし【特許請求の範囲】
【請求項１】
複数の細くて長い円管を隙間なく並べて帯状管列を形成し、該管列の両端はそれぞれマニホールドに接続したものを、一方のマニホールドを渦の中心近傍の始点とし、一定間隙を設けながら該管列を渦巻状に巻いて、円筒状の容器に納め、始点および終点に位置するマニホールドの外側にそれぞれ被熱交換流体の入口、出口となるノズルを設けてなり、かつ、前記円筒状の容器は熱交換媒体の入口、出口となるノズルを設けてなる多管式スパイラル熱交換器。
【請求項２】
渦巻状に巻いた管列の上下を、それが収められている円筒状の容器の内径とほぼ同じ径の円形板で挟んだ、請求項１の多管式スパイラル熱交換器。
【発明の詳細な説明】
【０００１】
【発明の属する技術分野】
本発明は、流体間の熱交換をする熱交換器に関し、多管式でかつスパイラル状の構造とすることで、伝熱効率を高めてコンパクト化し、かつ、高圧力の流体の熱交換も可能とした熱交換器に関する。
【０００２】
【従来の技術】
熱交換器は、熱交換を効率よく行うためには、高温側と低温側を隔てる隔壁が薄い方が伝熱効率的には有利である。一方、流体の圧力を考えると、高圧力の流体用途に用いる場合、その圧力に強度的に耐えられるように隔壁の厚さが規定されてくる。一般的に、その両面で効率よくバランスのとれた熱交換器として、多管式熱交換器が多用されている。
多管式熱交換器において、ある管径の伝熱管を使用する際に必要な伝熱面積を得るためには、その長さや本数などをいろいろな組合せとすることができるが、一般的に設計した場合、熱交換器全体として細長い形状になり、所要伝熱面積に対して比較的大きな設置場所を要する。
【０００３】
工場等で熱交換器の設置面積に制約を受ける場合などには、伝熱の効率を高め、コンパクトな設備とするために、複数枚の板を重ね、交互に高温流体、低温流体が流れるように流路を形成したプレート式熱交換器、２枚の板を重ね、渦巻状に巻いた流路の内、外に熱交換流体を流すスパイラル式熱交換器など、他の形式の熱交換器を選ぶことができる。しかしながら、これらの熱交換器は、内圧力に対する強度の点で、多管円筒形熱交換器に対して不利であるため、高圧の流体の熱交換に対しては、使用に適さない場合が多い。
【０００４】
【発明が解決しようとする課題】
かかる事情に鑑みて、本発明は、設置面積が小さくて済み、かつ、被熱交換流体の圧力を制限しない、すなわち高圧流体も不都合なく使用できる構造の熱交換器を提供することを目的とする。
【０００５】
【課題を解決するための手段】
本発明者らは上記課題を解決するために鋭意検討した結果、複数の細くて長い円管を隙間なく並べて帯状管列を形成し、これを渦巻状に巻いた形にして円筒状の容器に納めることで、伝熱効率がよいために設置面積が小さくて済み、かつ高圧力の被熱交換流体にも使用可能な熱交換器とできることを見出し、本発明を完成するに至った。
また、かかる渦巻状に巻いた帯状管列の上下を容器の内径とほぼ同じ径の円形板で挟むことにより、管外側の熱交換媒体の流れも強い渦流とでき、帯状管列のすべての部分を熱交換に利用できて、伝熱効率を一層高めることができることも知見した。
【０００６】
すなわち、本発明は、複数の細くて長い円管を隙間なく並べて帯状管列を形成し、該管列の両端はそれぞれマニホールドに接続したものを、一方のマニホールドを渦の中心近傍の始点とし、一定間隙を設けながら該管列を渦巻状に巻いて、円筒状の容器に納め、始点および終点に位置するマニホールドの外側にそれぞれ被熱交換流体の入口、出口となるノズルを設けてなり、かつ、前記円筒状の容器は熱交換媒体の入口、出口となるノズルを設けてなる多管式スパイラル熱交換器を提供するものである。
また、渦巻状に巻いた管列の上下を、それが収められている円筒容器の内径とほぼ同じ径の円形板で挟んだ多管式スパイラル熱交換器を提供するものである。
【０００７】
【発明の実施の形態】
本発明の熱交換器の構造を、以下に、その一例の概略図を示す図１〜図３を参照しながら説明する。
【０００８】
図１は、渦巻状に形成される帯状管列の展開図である。多数の細くて長い円管１が縦方向に隙間がないように積み重ねられて帯状の管列をなしており、各円管の両端は厚肉のパイプからなるマニホールド２、２´（被熱交換流体（以下、「プロセス流体」ともいう。）の集合管）にあけられた孔に溶接により接続されている。溶接施工用および検査用の間隔が必要であるために、各円管１のマニホールド接続部は間隔があり、したがって、管列全体は両端部近傍において各円管１の間に隙間があり、その幅はマニホールド接続部に向かって広がっている。
【０００９】
図２は、図１のマニホールド２、２´を含む帯状管列を渦巻状に巻き上げた状態の断面を示すものである。プロセス流体出口ノズル４につながるマニホールド２´を始点にして帯状管列を巻き上げ加工してゆき、巻き上げ加工はプロセス流体入口ノズル３につながるマニホールド２を終点とする。巻き上げ帯状管列の間は一定間隔のスペース５が設けられ、帯状管列の両端近傍以外は各円管１の間はほとんど隙間なく形成されているので壁状となる。その結果、壁状の巻き上げ帯状管列の間の一定間隔のスペース５は、熱交換用媒体入口ノズル６から入ってくる熱交換用媒体の渦巻状流路を形成する。
マニホールド２、２´を含む帯状管列を渦巻状に巻き上げたもの（以下、「帯状管列巻き上げ体」と呼ぶことがある。）は、最外側の該管列との間に熱交換用媒体の渦巻状流路の最外側部分を形成するようなスペースを設けた内径を有する円筒状の容器７に納められている。
【００１０】
図３は、円筒状の容器７に帯状管列巻き上げ体を収容し、かつ、帯状管列巻き上げ体の上下を容器７の内径とほぼ同じ径の円形板１０で挟んだ、本発明の一実施態様の全体構造を示す断面図である。
円筒状の容器７は、帯状管列巻き上げ体を収容して、上下に閉じられた構造であり、プロセス流体の入口ノズル３、出口ノズル４；熱交換媒体の入口ノズル６、出口ノズル８；およびエアー抜きノズル９；によって外部と通じている。ここで、熱交換媒体の出口ノズル８は、帯状管列巻き上げ体の上部に相当する部分の壁に孔があけられて設けられ、エアー抜きノズル９は容器７の上蓋部に設けられている。
【００１１】
プロセス流体は、プロセス流体入口ノズル３からマニホールド２を経て、渦巻状に巻き上げた帯状管列の多数の細くて長い各円管１を通り、マニホールド２´を経てプロセス流体出口ノズル４から熱交換器外へ出る。
熱交換用媒体は、熱交換用媒体入口ノズル６から熱交換器内に入り、帯状管列巻き上げ体間のスペース５からなる熱交換用媒体用の渦巻状流路を通って、熱交換用媒体出口ノズル８から熱交換器外へ出る。なお、エアー抜きノズル９は、熱交換用媒体を熱交換器内へ当初導入できるようにするためのものである。
上下円形板１０は、熱交換用媒体の流路を帯状管列の渦巻状巻き上げ体間のスペース５のみにするための上下の区切り板であり、これによって熱交換用媒体の流れが、帯状管列を構成する各円管１のほぼすべての部分と接触し、かつ強い渦巻流をつくることができるため、プロセス流体と熱交換用媒体との間の効果的な熱交換が実現できることとなり、好ましい。
しかしながら、容器７の帯状管列の渦巻状巻き上げ体を収容する部分以外の上下の空間を小さくすれば、上下円形板１０がなくても熱交換効率はそれほど低下しないため、本発明の熱交換器の作用効果は発揮される。
【００１２】
本発明の熱交換器において、帯状管列の渦巻状巻き上げ体を構成する各管は、円管としたので、薄くしても１０〜２０ＭＰａＧ程度の高圧力のプロセス流体に耐えることができる。一方、同様に渦巻状巻き上げ構造を有する公知の熱交換器として、前記のスパイラル式熱交換器があるが、このものは二枚の平板を渦巻き状に巻いた構造のもので、面で圧力を受けるために、耐圧が、せいぜい１ＭＰａＧであり、高圧用途でも２．５ＭＰａＧにすぎない。
円管１の肉厚は、薄いほど伝熱、加工性の面で有利であるが、プロセス流体の種類に基づく耐圧面での要求性能とのバランスで決められる。通常、１〜３ｍｍ程度の肉厚とすることが多い。
また、円管１の管径は、細いほど伝熱面で有利（同一流量を処理する場合、伝熱面積が大きくなる；同一の耐圧に対して管肉厚が薄くできる；ことによる）であるが、細すぎるものは現実に製作困難であり、太くなると曲げ加工が難しくなる。通常、数ｍｍから数十ｍｍの範囲のものが本発明の熱交換器に使用可能である。
さらに、伝熱面からはプロセス流体の流速を上げる方が有利であり、同じ流量で限られた容積中で流速を上げるには、流路の距離を長くすることが好ましいが、本発明の熱交換器のスパイラル構造はそのことに貢献している。
円管１の本数は、管径と関連しながら、プロセス流体の流量に依存する。同じ流量の流体に対して、細い管径のものを多数本積み重ねることが、伝熱面からは有利である。
なお、多数本の円管１からなる管列の各管の積み重ねは、熱交換用媒体の隣の流路への短絡流が生じないようにするために、マニホールド２、２´の近傍以外はできるだけ隙間がないように形成されることが好ましい。
円管１の材質は、特に制限されるものではないが、薄くできて、かつ高圧力のプロセス流体にも対応できる強度を有する材料として、低温用炭素鋼、銅合金、ステンレス鋼、炭素鋼などが好ましい。
【００１３】
本発明の熱交換器は、上記のように構成されているので、設置面積が小さくて済み、また、ガス、液体等、広い範囲のプロセス流体に使用でき、高圧力のものであっても不都合なく対応できるという利点を有する。
なお、図２、図３に示した態様の熱交換器は、プロセス流体と熱交換用媒体の流れが向流になっている。伝熱係数からは向流が好ましいが、並流に流してもよい。
また、図２、図３に示した態様の熱交換器は、帯状管列巻き上げ体が寝た、全体として竪型の構造となっているが、これを横型の構造のものとすることもできる。
【００１４】
【実施例】
本発明に含まれる一つの熱交換器を製作し、熱交換試験を行った結果を以下に示すが、本発明が実施例の態様に限定されるものでないことはもとよりのことである。
【００１５】
実施例１
以下の材料、寸法にて多管式スパイラル熱交換器を製作した。
円管外径：１５．９ｍｍ、　肉厚：１．６ｍｍ、
管長：約３３７５ｍｍ、　管本数：１３本、
円管材質：低温用炭素鋼（ＳＴＢＬ３８０Ｓ）
容器外径：４０６．４ｍｍ、　肉厚：６ｍｍ
管内側に液化プロピレン、管外側に冷水（メタノール水溶液）を通液し、熱交換を行った。その結果、それぞれの流体の入口温度、出口温度は次のようであった。
液化プロピレン流量：　５００ｋｇ／ｈｒ
入口温度　３６℃→出口温度　２℃、　圧力：４ＭＰａＧ
冷水（メタノール水溶液）流量：　約５ｍ３／ｈｒ
入口温度　−９℃→出口温度　−７℃、　圧力：０．５ＭＰａＧ
以上のように、高圧の被熱交換流体に対して使用して、良好な熱交換状態（冷却）が得られた。
【００１６】
【発明の効果】
複数の細くて長い円管を隙間なく並べて帯状管列を形成し、これを、一定間隙を設けながら該管列を渦巻状に巻いて、円筒状の容器に納めて、円管内を被熱交換流体、円管外を熱交換媒体が流れる構造にすることにより、伝熱効率が高いために設置面積が小さくて済み、かつ、被熱交換流体の圧力を制限しない、すなわち高圧流体も不都合なく使用できる構造の熱交換器が得られる。
【図面の簡単な説明】
【図１】本発明の一実施態様の熱交換器において、渦巻状に形成される管列の展開図を示す概念図である。
【図２】図１の帯状管列を渦巻状に巻き上げた状態の上から見た断面を示すものである。
【図３】図１、図２の熱交換器の全体構造を示すため、中央部近辺の断面を横から見た概念図である。
【符号の説明】
１　円管
２、２´　マニホールド
３　プロセス流体入口ノズル
４　プロセス流体出口ノズル
５　スペース（熱交換用媒体流路）
６　熱交換用媒体入口ノズル
７　容器
８　熱交換用媒体出口ノズル
９　エアー抜きノズル
１０　上下円形板
【図１】
2004100991.tif 000002
【図２】
2004100991.tif 000003
【図３】
2004100991.tif 000004